(57)【要約】【課題】定期的な保守点検をすることなく、印字不良の発生を防止する手段を提供する。【解決手段】インパクトプリンタの印字ヘッド３１の吸入方向の上流側に、印字対象媒体Ｓの印字面を直接押圧しながら転動する押圧ローラ４６を取付け、その押圧ローラ４６の吸入方向の上流側の直近の印字面を押圧する先端４８ａを有する可動ガイド４８を設け、印字ヘッド３１による印字中に、可動ガイド４８の先端４８ａを印字面を押圧する押圧位置に位置させる。【選択図】        図９
2011121325.tif 000002
【特許請求の範囲】
【請求項１】
吸入した印字対象媒体に、前記印字対象媒体の吸入方向の直交方向である印字方向に移動しながら印字を行う印字ヘッドを備えたインパクトプリンタにおいて、
前記印字ヘッドの前記吸入方向の上流側に取付けられ、前記印字対象媒体の印字面を直接押圧しながら転動する押圧ローラと、
前記押圧ローラの前記吸入方向の上流側の直近の前記印字面を押圧する先端を有し、前記印字面を押圧する押圧位置と、前記印字面から退避する退避位置との間を回動する可動ガイドとを設け、
前記印字ヘッドによる印字中に、前記可動ガイドを前記押圧位置に位置させることを特徴とするインパクトプリンタ。
【請求項２】
請求項１において、
前記印字対象媒体は、単票媒体と冊子状媒体であることを特徴とするインパクトプリンタ。
【請求項３】
請求項１において、
前記可動ガイドの先端は、前記印字面の印字方向の全長を押圧することを特徴とするインパクトプリンタ。
【請求項４】
請求項１において、
前記印字ヘッドに前記印字対象媒体を挟んで対向配置された一体型のプラテンを設け、
前記押圧位置における前記可動ガイドの先端の位置は、前記押圧ローラの前記プラテン側の外周面より前記プラテン側の位置であることを特徴とするインパクトプリンタ。
【請求項５】
請求項１において、
前記印字対象媒体の印字位置への吸入時に、前記可動ガイドを前記押圧位置へ回動させることを特徴とするインパクトプリンタ。
【請求項６】
請求項１において、
前記印字ヘッドによる印字後の前記印字対象媒体の排出時に、前記可動ガイドを前記退避位置へ回動させることを特徴とするインパクトプリンタ。
【発明の詳細な説明】
【技術分野】
【０００１】
本発明は、現金自動預払機等の自動取引装置に装着され、払込書等の単票媒体および通帳等の冊子状媒体に印字を行うインパクトプリンタに関する。
【背景技術】
【０００２】
従来のインパクトプリンタは、印字方向に移動しながら紙葉状の印字媒体上に印字を行う印字ヘッドと、印字ヘッドに印字媒体を挟んで対向配置された一体型のプラテンと、印字ヘッドの媒体吸入方向Ａの下流側の直近の印字媒体上を押圧するガイドベルトと、印字ヘッドに取付けられた、ガイドベルトを押圧するメディアフォローとを備え、印字ヘッドにより印字媒体上に印字するときは、メディアフォローによりガイドベルトを介して印字媒体をプラテンとの間で押圧し、印字ヘッドの移動と共にメディアフォローをガイドベルト上で摺動させて、印字媒体の印字方向への位置ずれを防止している（例えば、特許文献１参照。）。
【０００３】
また、縦綴じ通帳（印字方向の中央に、その直交方向に沿って綴じ目が設けられた通帳をいう。）に印字を行うインパクトプリンタは、印字方向に移動しながら縦綴じ通帳の見開きページに印字する印字ヘッドと、印字ヘッドの先端部に設けられた用紙ガイドと、印字ヘッドに通帳を挟んで対向配置され、印字ヘッドに対する印字高さを位置決めする３分割型のプラテンと、プラテンを昇降させるカム機構とを備え、綴じ目を載置する中央プラテンを、その両側に配置されたプラテンにバネで支持させ、印字ヘッドにより通帳の見開きページ上に印字するときは、縦綴じ通帳の綴じ目が位置する中央プラテンを下方に沈め、両側のプラテンによりそれぞれの見開きページを用紙ガイドに押し当てて印字している（例えば、特許文献２参照。）。
【先行技術文献】
【特許文献】
【０００４】
【特許文献１】特開平２−１３０１７９号公報（主に、公報第４ページ右上欄１５行〜右下欄２０行、第６図、第７図）
【特許文献２】特開平８−３３７０２２号公報（段落０００６−０００８、第２図）
【発明の概要】
【発明が解決しようとする課題】
【０００５】
しかしながら、上述した従来の特許文献１および特許文献２の技術においては、印字対象の媒体を１枚の紙葉からなる単票または冊子状の通帳に限定しているため、上記のような印字動作を行わせることができるが、払込書等の単票媒体および縦綴じ通帳や横綴じ通帳（印字方向の直交方向の中央に、印字方向に沿って綴じ目が設けられた通帳をいう。）等の冊子状媒体を、インパクト式の一つの印字ヘッドで印字する場合には、特許文献２のように３分割のプラテンを用いて単票媒体に印字しようとすると、中央プラテンと両側のプラテンとにより単票媒体を用紙ガイドに押し当てて印字するときに、単票媒体上を摺動する用紙ガイドにより、中央プラテンと両側のプラテンとの間に存在する隙間に単票媒体が入り込み、そこがシワになって印字カスレ等の印字不良が発生する場合があるという問題や、隙間上に位置する印字ピンが隙間に入り込み、単票媒体に印字ピンによる穴が開いてしまう場合があるという問題が生ずる。
【０００６】
このため、特許文献１のような一体型のプラテンを用いてガイドベルト上を摺動するメディアフォローによって単票媒体および冊子状媒体を押圧しながら印字すると、単票媒体においては、上記した問題の発生や印字媒体の印字面の印字方向への位置ずれ等の印字不良を防止することは可能であるが、ガイドベルトは印字ピンの突出量に相当する厚さを有する薄い樹脂フィルムやステンレス板等が用いられ、メディアフォローの摺動によってガイドベルトが磨耗するため、ガイドベルトの定期的な交換が必要になり、冊子状媒体においては、ガイドベルトが繰返し屈曲することになり、ガイドベルトが磨耗や疲労によって破損するため、ガイドベルトの定期的な交換が必要になり、保守点検のための負担を増大させるという問題がある。
【０００７】
また、ガイドベルトが破損した場合には、印字ヘッドと印字面との隙間が適正にならず、印字不良や、ガイドベルトの破損した部分に媒体が引っ掛かってジャムが発生する場合があるという問題がある。
【０００８】
本発明は、上記の問題点を解決するためになされたもので、定期的な保守点検をすることなく、印字不良の発生を防止する手段を提供することを目的とする。
【課題を解決するための手段】
【０００９】
本発明は、上記課題を解決するために、吸入した印字対象媒体に、前記印字対象媒体の吸入方向の直交方向である印字方向に移動しながら印字を行う印字ヘッドを備えたインパクトプリンタにおいて、前記印字ヘッドの前記吸入方向の上流側に取付けられ、前記印字対象媒体の印字面を直接押圧しながら転動する押圧ローラと、前記押圧ローラの前記吸入方向の上流側の直近の前記印字面を押圧する先端を有し、前記印字面を押圧する押圧位置と、前記印字面から退避する退避位置との間を回動する可動ガイドとを設け、前記印字ヘッドによる印字中に、前記可動ガイドを前記押圧位置に位置させることを特徴とする。
【発明の効果】
【００１０】
これにより、本発明は、印字中に可動ガイドの先端で押圧ローラの押圧部の直近の印字面を押圧して印字面の位置ずれ等の印字不良を防止することができると共に、定期的な保守点検を行うことなく良好な印字品質を長期間に亘って保つことができるという効果が得られる。
【図面の簡単な説明】
【００１１】
【図１】実施例の現金自動預払機の外観を示す説明図
【図２】実施例の媒体処理装置の構成を示す説明図
【図３】実施例の印字ユニットの側面を示す説明図
【図４】実施例の印字ユニットの上面を示す説明図
【図５】実施例の印字ヘッドの正面を示す説明図
【図６】実施例の可動ガイドの外観を示す説明図
【図７】実施例の印字ユニットの吸入時の状態を示す説明図
【図８】実施例の印字ユニットの印字動作を示す説明図
【図９】実施例の印字ユニットの印字動作を示す説明図
【図１０】実施例の印字ユニットの排出搬送動作を示す説明図
【発明を実施するための形態】
【００１２】
以下に、図面を参照して本発明によるインパクトプリンタの実施例について説明する。
【実施例】
【００１３】
図１において、１は本体装置としての現金自動預払機であり、銀行等の金融機関の支店やコンビニエンスストア等の店舗に設置され、利用者が選択した取引の入力を受付け、これを基に図示しないホストコンピュータと交信して利用者との取引処理を自動で行う機能等を有している。
【００１４】
２は操作表示部であり、現金自動預払機１の正面に設けられ、ＬＣＤ等の表示画面とタッチパネル等の入力手段との組合せで構成されており、表示画面に取引選択画面や各種の入力画面、利用者の処置を促す画面等を表示する他、入力手段により利用者からの入力を受付ける。
【００１５】
３はカード処理部であり、吸入された利用者のキャッシュカードやクレジットカード等の取引カードの磁気ストライプやＩＣチップ等に記録されている取引カードの金融機関名や支店名、口座番号、口座科目等の口座情報等からなるカード情報を読み書きする機能を有すると共に明細票等に取引内容等を印字する機能を有している。
【００１６】
４は通帳ユニットであり、利用者が持参した冊子状媒体としての通帳の磁気ストライプやＩＣチップ等に記録されている通帳情報を読み書きする機能を有すると共に取引内容等を利用者の通帳に記帳する機能を有しており、その正面側には利用者の通帳を吸入すると共に記帳済の通帳を排出するための通帳吸排口４ａが設けられている。
【００１７】
５は紙幣処理部であり、入金取引時等に利用者が投入した紙幣を受入れ、これを鑑別および計数して収納庫に収納し、出金取引時等に収納庫から利用者に支払う紙幣を繰出し、これを計数して利用者に引渡す機能を有している。
【００１８】
６は硬貨処理部であり、入金取引時等に利用者が投入した硬貨を受入れ、これを鑑別および計数して収納庫に収納し、出金取引時等に収納庫から利用者に支払う硬貨を繰出し、これを計数して利用者に引渡す機能を有している。
【００１９】
７は単票ユニットであり、利用者が持参した１枚の紙葉からなる水道やガス等の公共料金の払込書等の単票媒体の記入内容を読取る機能等を有しており、その正面側には利用者の単票媒体を吸入すると共に読取不能の単票媒体を利用者に返却するための単票吸入口７ａが設けられている。
【００２０】
通帳ユニット４は、図２に示すように、通帳の吸入および排出を行うための通帳吸排口４ａ、通帳吸排口４ａを開閉するシャッタ１０、吸入された通帳を幅寄せして搬送状態を整位する幅寄せ部１１、通帳の磁気ストライプ等に記録されている口座番号や記帳最終ページとその最終行等の通帳情報を読み書きする磁気ヘッドを有する読取書込部１２、通帳を搬送するための一対のローラを対向配置した複数の搬送ローラ１３を有する通帳搬送路１４が設けられており、通帳搬送路１４の通帳吸排口４ａの近傍には、通帳吸排口４ａに印字ページを開いた状態でセットされた通帳の幅（吸入方向と直交する方向の長さをいう。）を検出するための図示しない幅検出センサ、開いた状態で吸入された通帳の吸入方向の長さを検出する図示しない長さ検出センサ等が設けられ、通帳搬送路１４の読取書込部１２の吸入方向の下流側には、通帳吸排口４ａから開いた状態で受入れた通帳のページをめくるページめくり部１５、めくられたページのページマークを読取るページマーク読取部１６が設けられている。
【００２１】
１８はインパクトプリンタとしての印字ユニットであり、通帳搬送路１４の吸入方向の下流端に直線的に連結する通帳ユニット４内の印字搬送路１９に配置され、通帳ユニット４の通帳吸排口４ａから吸入された通帳、および単票ユニット７の単票吸入口７ａから吸入された単票媒体の印字面に所定の記載内容を印字する機能を有している。
【００２２】
２０は通帳回収部であり、通帳吸排口４ａから排出され、取忘れられた通帳を収納して回収する収納庫であって、印字搬送路１９の吸入方向の下流端に配置されている。
【００２３】
本実施例の通帳ユニット４は、縦綴じ通帳と横綴じ通帳との２種類の通帳を、混在させて取扱うように構成されている。
【００２４】
単票ユニット７は、払込先の口座番号や払込金額等が記入された単票媒体である払込書等を取扱うユニットであって、払込書を吸入するための単票吸入口７ａ、吸入された払込書の記入内容等を読取るスキャナ部２２、払込取引の終了後に印字ユニット１８で取引日時や取引店舗名等の記載内容が印字された印字処理済の払込書を収納する単票収納庫２３、２４、および単票媒体を搬送するための一対のローラを対向配置した複数の搬送ローラ２５を有する単票搬送路２６等が設けられており、単票搬送路２６の単票吸入口７ａの反対側の端部は、ページマーク読取部１６と印字ユニット１８との間の通帳搬送路１４と印字搬送路１９との連結部に合流している。
【００２５】
また、印字搬送路１９および単票搬送路２６の各分岐部には、通帳や単票媒体の搬送方向を切替える切替ブレード２７ａ〜２７ｄが設けられている。
【００２６】
本実施例の媒体処理装置は、通帳ユニット４および通帳ユニット４に単票搬送路２６で連結された単票ユニット７で構成され、印字対象媒体である単票媒体および通帳を１つの印字ユニット１８を用いて印字処理する機能を有しており、通帳ユニット４およびその上に隣接して併設された単票ユニット７が、現金自動預払機１に並べて装着されている。
【００２７】
図３、図４において、３１は印字ユニット１８の印字ヘッドであり、ドット毎に設けた超鋼ワイヤ等からなる複数の印字ピンを有するインパクト式の印字ヘッドであって、キャリッジ３１ａのガイド穴に嵌合させた、単票媒体および通帳の吸入方向の直交方向（印字方向という。図４参照）に上下に並設されたガイドレール３２ａ、３２ｂに案内されて印字方向に往復移動し、印字データに応じて突出させた印字ピンにより、単票媒体または通帳の印字面に図示しないインクリボンのインクを転写して所定の記載内容を印字する機能を有している。
【００２８】
なお、本実施例の印字ヘッド３１は、通常設けられている用紙ガイドが、省略されている。
【００２９】
３３はプラテンであり、印字対象媒体（単票媒体および通帳）の中で最も印字方向の長さが長い印字対象媒体の印字方向長さより長い長手方向長さを有し、印字ヘッド３１側の上面が平面とされその吸入方向の両側に傾斜面３３ａが形成された一体型のプラテンであって、印字搬送路１９を搬送される印字対象媒体を挟んで印字ヘッド３１に対向配置され、圧縮コイルスプリング等のバネ部材３４によって支持されており、印字ヘッド３１から突出する印字ピンによる打撃を受止める機能を有している。
【００３０】
また、プラテン３３およびバネ部材３４は、図示しない駆動源からの駆動力によって回動するカムを有する昇降機構３５により昇降可能に支持されており、印字ヘッド３１による印字中は、昇降機構３５により後述する押圧ローラ４６に印字対象媒体を押圧する印字位置へ上昇し、印字中以外の場合は、昇降機構３５により押圧ローラ４６から離間した離間位置に下降する。
【００３１】
更に、バネ部材３４は、印刷対象媒体の厚さが変化したときに、押圧ローラ４６への押圧力を一定に保つ機能を有している。
【００３２】
３７は印字ヘッド３１の吸入方向の上流側に配置された第１の搬送ローラであり、単票媒体および通帳からなる印字対象媒体の厚さに応じて挟持搬送するためにフィードローラ３８およびプレスローラ３９を対向配置して形成されたローラ対であって、フィードローラ３８のローラ軸３８ａは、印字ユニット１８のサイドフレーム１８ａに回転自在に支持され、プレスローラ３９のローラ軸３９ａは、サイドフレーム１８ａに図示しない押圧バネを介してフィードローラ３８の方向に往復移動可能に支持されている。
【００３３】
また、フィードローラ３８およびプレスローラ３９は、それぞれ図示しない駆動源からの駆動力により連動して正逆方向に回転駆動され、挟持した印字対象媒体を吸入方向およびその逆方向（排出方向という。）に搬送する。
【００３４】
４１は印字ヘッド３１の吸入方向の下流側に配置された第２の搬送ローラであり、第１の搬送ローラ３７と同様に構成された、フィードローラ４２およびそのローラ軸４２ａ、プレスローラ４３およびそのローラ軸４３ａを有しており、挟持した印字対象媒体を吸入方向および排出方向に搬送する。
【００３５】
また、第１および第２の搬送ローラ３７、４１の各フィードローラ３８、４２には、図示しない歯付ベルト等の駆動ベルトが掛渡されており、フィードローラ３８と４２は同期して回転するよう構成されている。
【００３６】
４４は上下一対のガイド板で形成された第１の搬送ガイドであり、サイドフレーム１８ａに固定されてプラテン３３の吸入方向の上流側に配置され、フィードローラ３８およびプレスローラ３９をガイド板の間に突出させる窓部が形成されており、フィードローラ３８とプレスローラ３９とに挟持されて搬送される印字対象媒体の表裏の面を案内する機能を有している。
【００３７】
４５は上下一対のガイド板で形成された第２の搬送ガイドであり、サイドフレーム１８ａに固定されてプラテン３３の吸入方向の下流側に配置され、フィードローラ４２およびプレスローラ４３をガイド板の間に突出させる窓部が形成されており、フィードローラ４２とプレスローラ４３とに挟持されて搬送される印字対象媒体の表裏の面を案内する機能を有している。
【００３８】
本実施例の印字搬送路１９は、第１および第２の搬送ローラ３７、４１、第１および第２の搬送ガイド４４、４５等で構成される。なお、図４は、第１および第２の搬送ガイド４４、４５を省略した状態で描いてある。
【００３９】
４６は押圧ローラであり、転がり軸受等で形成されて印字ヘッド３１の吸入方向の上流側に配置され、図５に示すように、プラテン３３側の外周面を印字ヘッド３１の先端から印字ピンの突出量Ｔに相当する分突出させた状態で回転軸４６ａを中心に回転自在に取付けられており、印字動作時に、印字ヘッド３１の移動に伴って移動し、上昇させたプラテン３３の上面との間で印字対象媒体の印字面をその外周面で直接押圧しながら印字面との摩擦力で転動し、印字ヘッド３１の近傍の印字対象媒体をプラテン３３に押付けて印字対象媒体を平坦化する機能を有している（図８参照）。
【００４０】
４８は可動ガイドであり、押圧ローラ４６の吸入方向の上流側の、押圧ローラ４６の押圧部の直近の印字対象媒体の印字面を押圧する先端４８ａが形成された、印字対象媒体（単票媒体および通帳）の中で最も長い印字面の印字方向長さを有する印字対象媒体の印字面の印字方向の全長より長い長手方向長さを有する可動部材であって、フィードローラ３８のローラ軸３８ａに回動可能に取付られており、先端４８ａのローラ軸３８ａを挟んだ反対側に設けられたリンクピン４９（図６参照）に連結するリンク機構５０を介して駆動源としてのソレノイド５１のプランジャ５１ａの往復動作により駆動され、印字対象媒体の印字面を押圧する押圧位置（図７〜図９参照）と、印字面から退避する退避位置（図１０参照）との間をローラ軸３８ａを中心に回動し、印字ヘッド３１による印字中は、押圧位置に位置して印字対象媒体の印字面の印字方向への移動を防止する機能を有している。
【００４１】
本実施例の可動ガイド４８の先端４８ａは、樹脂材料で形成され、図６に示すように、コの字状に形成された可動ガイド４８の本体４８ｂに、ネジ等の固定部材５３で固定されている。
【００４２】
上記した押圧位置は、ソレノイド５１へ通電してプランジャ５１ａを吸引したときの位置であって、そのときの可動ガイド４８の先端４８ａの位置は、そのプラテン３３側の角部が、押圧ローラ４６のプラテン３３側の外周面よりプラテン３３側で、プラテン３３の吸入方向上流側の傾斜面３３ａ上に位置し、かつ上昇させたプラテン３３の上面より下方に位置するようになっている（図７参照）。
【００４３】
また、退避位置は、ソレノイド５１を非通電としプランジャ５１ａの吸引を解除して内蔵バネにより突出させたときの位置であって、そのときの可動ガイド４８の先端４８ａの位置は、そのプラテン３３側の角部が、押圧ローラ４６のプラテン３３側の外周面より上方に位置するようになっている（図１０参照）。
【００４４】
なお、印字ユニット１８は、常時は、可動ガイド４８が、ソレノイド５１を非通電とした退避位置に位置し、プラテン３３が、昇降機構３５により離間位置に位置しており、図３に示す状態になっている。
【００４５】
以下に、図７ないし図１０を用いて、本実施例の印字ユニット１８による印字処理について説明する。
【００４６】
なお、以下に示す各動作は、媒体処理装置の図示しない制御部が、図示しない記憶部に格納されているプログラムによって、上記した各部を制御して実行するものである。
【００４７】
また、以下の説明においては、印字対象媒体を単票媒体である払込書（以下、払込書Ｓと記す。）として説明する。
【００４８】
利用者が、払込書Ｓを単票ユニット７の単票吸入口７ａセットすると、制御部は、その払込書Ｓを単票搬送路２６によってスキャナ部２２へ搬送し、スキャナ部２２によって払込書Ｓの記入内容等を読取る。
【００４９】
このとき、記入内容等が読み取れなかった場合は、制御部は搬送ローラ２５を逆転させ、払込書Ｓを単票吸入口７ａへ搬送して利用者に返却する。
【００５０】
払込書Ｓの記入内容等を読取った制御部は、その記入内容を現金自動預払機１の図示しない主制御部へ送信し、主制御部が図示しないホストコンピュータと交信して払込書Ｓの記入内容に基づく払込取引を実行し、払込取引の処理が終了すると、主制御部は取引日時や取引店舗名等の所定の記載内容を添付した印字指令を制御部へ送信する。
【００５１】
印字指令を受信した制御部は、所定の記載内容を払込書Ｓの印字面に印字するために、その払込書Ｓを単票搬送路２６によって印字ユニット１８の方向へ搬送する。
【００５２】
このとき、制御部は、払込書Ｓの印字ユニット１８への吸入に備えるために、図７に示すように、ソレノイド５１に通電してプランジャ５１ａを吸引し、リンク機構５０を介して可動ガイド４８を退避位置から押圧位置へ回動させる。
【００５３】
そして、制御部は、払込書Ｓを単票搬送路２６から印字搬送路１９へ搬送し、払込書Ｓの吸入方向の先端を第１の搬送ローラ３７のフィードローラ３８とプレスローラ３９との間に挟持させ、第１の搬送ローラ３７によって払込書Ｓを印字のための所定位置へ向けて搬送する。
【００５４】
この場合に、本実施例の可動ガイド４８は、その押圧位置において、先端４８ａのプラテン３３側の角部が、押圧ローラ４６の外周面よりプラテン３３側に位置しているので、払込書Ｓの先端が押圧ローラ４６に引っ掛かることなく円滑に搬送される。
【００５５】
払込書Ｓを印字のための所定位置へ向けて搬送していた制御部は、払込書Ｓを所定位置へ搬送すると、第１および第２の搬送ローラ３７、４１の駆動を停止し、図８に示すように、昇降機構３５によりプラテン３３を離間位置から印字位置へ上昇させて、払込書Ｓを押圧ローラ４６に押圧し、印字ヘッド３１をガイドレール３２ａ、３２ｂに沿って印字方向に移動させながら印字面への所定の記載内容の印字動作を開始し、改行が必要な場合は、第１および第２の搬送ローラ３７、４１を所定の角度回転させて改行動作を行いながら印字動作を継続する。
【００５６】
この場合に、図８に示すように、印字動作の初期において、払込書Ｓの吸入方向の先端が第２の搬送ローラ４１に挟持されていない状態であっても、本実施例の押圧ローラ４６は印字面を転動しており、かつ可動ガイド４８の先端４８ａが押圧ローラ４６の押圧部の吸入方向の上流側の直近の印字面を押圧しているので、印字ヘッド３１による印字中に、払込書Ｓの印字面が印字方向へずれることはなく、印字不良が生ずることはない。
【００５７】
また、印字動作の終期において、払込書Ｓの先端が改行動作によって第２の搬送ローラ４１に挟持され、その吸入方向の後端の第１の搬送ローラ３７による挟持が解除された後は、図９に示すように、可動ガイド４８の先端４８ａが押圧ローラ４６の押圧部の直近の後端部の印字面を押圧しているので、印字ヘッド３１による印字中に、払込書Ｓの印字面が印字方向へずれることはなく、印字不良が生ずることはない。
【００５８】
更に、本実施例の押圧ローラ４６は、転動しながら印字面を押圧するので、印字面を傷つけることはない。
【００５９】
そして、印字ヘッド３１による印字動作が終了すると、制御部は、印字処理済の払込書Ｓを印字ユニット１８から排出するために、図１０に示すように、ソレノイド５１を非通電にしてプランジャ５１ａの吸引を解除し、リンク機構５０を介して可動ガイド４８を押圧位置から退避位置へ回動させ、昇降機構３５によりプラテン３３を印字位置から離間位置へ下降させ、第１および第２の搬送ローラ３７、４１を逆回転させて、払込書Ｓを排出方向に搬送する。
【００６０】
このとき、本実施例の可動ガイド４８は、その退避位置において、先端４８ａのプラテン３３側の角部が、押圧ローラ４６の外周面より上方に位置しているので、払込書Ｓの吸入方向の後端、つまり排出方向の先端が可動ガイド４８に引っ掛かることなく円滑に搬送される。
【００６１】
その後に、制御部は、印字処理済の払込書Ｓを印字搬送路１９から単票搬送路２６へ搬送して単票収納庫２３または２４へ収納する。
【００６２】
印字処理済の払込書Ｓを単票収納庫２３等へ収納した制御部は、処理終了通知を現金自動預払機１の主制御部へ送信し、これを受信した主制御部は、カード処理部３によって取引内容等を印字した明細票を発行する。
【００６３】
このようにして、払込書Ｓの記入内容に基づく払込取引が行われる。
【００６４】
なお、上記においては、印字対象媒体を払込書等の単票媒体として説明したが、印字対象媒体を冊子状媒体としての通帳とした場合も同様である。
【００６５】
この場合には、制御部は、通帳ユニット４の通帳吸排口４ａのシャッタ１０を開作動させて利用者が印字ページを開いた状態でセットした通帳を通帳搬送路１４により吸入し、幅寄せ部１１で幅寄せした通帳の通帳情報を読取書込部１２で読取って、利用者が選択した取引の取引処理を実行し、その後に当該通帳を通帳搬送路１４から印字搬送路１９へ搬送して、上記と同様に可動ガイド４８で押圧ローラ４６の押圧部の直近の印字面を押圧しながら、印字ヘッド３１により取引内容等の所定の記載内容を印字し、その後に印字処理済の通帳を印字搬送路１９、通帳搬送路１４により通帳吸排口４ａへ搬送し、通帳吸排口４ａから排出して利用者に返却するようにする。
【００６６】
また、上記においては、印字ヘッド３１による印刷動作の継続中は、常に可動ガイド４８を押圧位置に位置させるとして説明したが、印字対象媒体の先端または後端が第１または第２の搬送ローラ３７、４１から外れている場合のみ、つまり印字対象媒体が第１および第２の搬送ローラ３７、４１に挟持されている場合を除く印字動作中に、可動ガイド４８を押圧位置に位置させるようにしてもよい。
【００６７】
この場合には、印字対象媒体の先端または後端の挟持が解除されていることを、印字行数で検出して可動ガイド４８の回動制御を行うようにするとよい。このようにすれば、特別なセンサを設けることなく可動ガイド４８の回動制御を行うことができる。
【００６８】
上記のように、本実施例では、印字対象媒体の印字面の押圧ローラ４６による押圧部の直近を先端４８ａで押圧する可動ガイド４８を設け、印字ヘッド３１による印字面への印字中に可動ガイド４８の先端４８ａで印字面を押圧するようにしたので、印字対象媒体の印字面の印字方向への位置ずれを防止することができると共に、印字面を傷つけることなく長期間に亘って印字品質を良好に保つことができる。
【００６９】
また、印字ヘッド３１に設けた押圧ローラ４６を転動させて、印字対象媒体の印字面を直接プラテン３３との間で押圧するので、押圧ローラ４６に磨耗や疲労が生ずることはなく、定期的な保守点検を行うことなく、ガイドベルトの破損に伴う印字不良やジャムの発生を防止することができる。
【００７０】
以上説明したように、本実施例では、印字ヘッドの吸入方向の上流側に、印字対象媒体の印字面を直接押圧しながら転動する押圧ローラを取付け、その押圧ローラの吸入方向の上流側の直近の印字面を押圧する先端を有する可動ガイドを設け、印字ヘッドによる印字中に、可動ガイドを印字面を押圧する押圧位置に位置させるようにしたことによって、印字中に可動ガイドの先端で押圧ローラの押圧部の直近の印字面を押圧して印字面の位置ずれ等の印字不良を防止することができると共に、定期的な保守点検を行うことなく良好な印字品質を長期間に亘って保つことができる。
【００７１】
なお、上記実施例においては、可動ガイドはソレノイドで回動させるとして説明したが、カム機構で回動させるようにしてもよい。
【００７２】
また、上記実施例においては、印字ユニットを本体装置としての現金自動預払機に装着した場合を例に説明したが、インパクト式の印字ヘッドを有するプリンタ装置であれば、本発明を適用することができ、上記と同様の効果を得ることができる。
【符号の説明】
【００７３】
１    現金自動預払機
２    操作表示部
３    カード処理部
４    通帳ユニット
４ａ  通帳吸排口
５    紙幣処理部
６    硬貨処理部
７    単票ユニット
７ａ  単票吸入口
１０  シャッタ
１１  幅寄せ部
１２  読取書込部
１３、２５  搬送ローラ
１４  通帳搬送路
１５  ページめくり部
１６  ページマーク読取部
１８  印字ユニット
１８ａ  サイドフレーム
１９  印字搬送路
２０  通帳回収部
２２  スキャナ部
２３、２４  単票収納庫
２６  単票搬送路
２７ａ〜２７ｄ  切替ブレード
３１  印字ヘッド
３１ａ  キャリッジ
３２ａ、３２ｂ  ガイドレール
３３  プラテン
３３ａ  傾斜面
３４  バネ部材
３５  昇降機構
３７  第１の搬送ローラ
３８、４２  フィードローラ
３８ａ、３９ａ、４２ａ、４３ａ  ローラ軸
３９、４３  プレスローラ
４１  第２の搬送ローラ
４４  第１の搬送ガイド
４５  第２の搬送ガイド
４６  押圧ローラ
４８  可動ガイド
４８ａ  先端
４８ｂ  本体
４９  リンクピン
５０  リンク機構
５１  ソレノイド
５１ａ  プランジャ
５３  固定部材
【図１】
2011121325.tif 000003
【図２】
2011121325.tif 000004
【図３】
2011121325.tif 000005
【図４】
2011121325.tif 000006
【図５】
2011121325.tif 000007
【図６】
2011121325.tif 000008
【図７】
2011121325.tif 000009
【図８】
2011121325.tif 000010
【図９】
2011121325.tif 000011
【図１０】
2011121325.tif 000012